(57)【要約】      （修正有） 【課題】できるだけ簡単に着脱でき、かつブーツ全体で足をしっかりサポートすることのできる緊締具を備えたブーツを提供することを目的とする。【解決手段】一本のブーツ紐を有し、かつ、上側、中間、下側の３つの作用領域を有する緊締具を備えたことを最大の特徴点とする。中間作用領域が、ブーツを締めたり開いたりする際に、上側作用領域と下側作用領域の双方と機能的に直接連結している。従って既存のブーツとは異なり、２本の別々のブーツ紐ではなく１本のブーツ紐を備える。【選択図】図１
2007144171.tif 000002
【特許請求の範囲】
【請求項１】
１本のブーツ紐（１１）を有する緊締具（１０）を備え、前記緊締具が上側、中間、下側の３つの作用領域（１２ａ、１２ｂ、１２ｃ）を備え、ブーツを締めたり開いたりする際に、前記中間作用領域（１２ｂ）が前記上側作用領域（１２ａ）と前記下側作用領域（１２ｃ）の双方に機能的に直接連結していることを特徴とするブーツ。
【請求項２】
前記上側及び下側作用領域（１２ａ、１２ｃ）のそれぞれにロック付き引き締め具（１３）が設けられていることを特徴とする請求項１に記載のブーツ。
【請求項３】
前記上側及び下側作用領域（１２ａ、１２ｃ）がそれぞれ複数のガイドフック（１５）を備え、前記引き締め具（１３）が２つのガイドフック、特に、隣接する２つのガイドフック（１５）間に位置することを特徴とする請求項１又は２に記載のブーツ。
【請求項４】
前記引き締め具（１３）がブーツ紐（１１）の一部分から成り、ブーツの開閉用に操作することができる延長輪部（１４）の形で設けられていることを特徴とする請求項２又は３に記載のブーツ。
【請求項５】
前記輪部（１４）がそれぞれブーツ内及び／又はブーツ上に設けられたガイド（１６）内に配され、前記輪部（１４）の自由端（１７）を持って前記引き締め具（１３）を操作することができることを特徴とする請求項４に記載のブーツ。
【請求項６】
前記ガイド（１６）が２本の筒状体から成り、ブーツ紐（１１）の、前記輪部を形成する２つの延長部分のそれぞれが各筒状体内に通されていることを特徴とする請求項５に記載のブーツ。
【請求項７】
前記輪部（１４）の自由端（１７）がそれぞれ、該輪部（１４）上を自由に動くことのできる握り部（１８）内にそれぞれ通されていることを特徴とする請求項５又は６に記載のブーツ。
【請求項８】
前記輪部（１４）がそれぞれ、ブーツの、特に脚部分に接着された紐ロック部（１９）に通されていることを特徴とする請求項４〜７のいずれかに記載のブーツ。
【請求項９】
ブーツ紐（１１）の２つの終端がブーツに固定されていることを特徴とする請求項１〜８のいずれかに記載のブーツ。
【発明の詳細な説明】
【技術分野】
【０００１】
本発明はブーツに関する。
【背景技術】
【０００２】
ブーツは、例えば登山、スキー、スノーボード等、様々なスポーツで用いられているが、ブーツは第一に、使用中に足の曲がる部分に食い込むことなく足をしっかりとサポートできなければならない。又、特にスキーやスノーボードの場合はこれらのスポーツ用具に使用者からの力が伝わるよう、脛部分も充分に固定されていなければならない。
【０００３】
安定したサポートの他、ブーツはさらに、使用者が比較的手間をかけずに簡単に脱ぎ履きできるような緊締具を備えていなければならない。
【０００４】
ドイツ実用新案登録第２０,２００４,０１９,０８２Ｕ１号明細書は、２本のブーツ紐から成る緊締具を開示している。一方のブーツ紐はブーツの脚部分を、もう一方のブーツ紐は足部分を締めるために使用されている。このため、足部分用のブーツ紐は一端がブーツに接着されている。足部分においては、ブーツ紐が、ブーツ舌片の両側に３つずつ設けられたガイドフックに通されている。この下側ブーツ紐は３つ目のガイドフックに通された後、その自由端がブーツ脚部に沿って上方へ案内され、握り部で終わっている。
脚部分用の上側ブーツ紐はブーツに結合され、ブーツ内を同様の方法で通されている。
【０００５】
２本のブーツ紐は互いに独立して働くので、ブーツの脚部分にあたる第１上側締め領域は、ブーツの足部分にあたる第２下側締め領域とは独立して締めたり緩めたりすることができる。ブーツの足と脚の部分に別々の２つの締め領域を設けた結果、この２つの領域の境界部分、すなわち足の曲がる部分では、どうしても緊締力の働かない部分が生じてしまう。
【０００６】
そのため、足の曲がる部分で張力が不十分な状態が続いて、ブーツの安定したサポートが失われてしまう危険がある。さらにまた、ブーツを脱ぐ際には上側と下側の両方の領域で紐を緩めなければならない。２本のブーツ紐は互いに独立して働くため、上側の締め領域を緩めても、下側の領域で足がしっかり固定されているために、これだけでは簡単にブーツを脱ぐことはできない。
【発明の開示】
【発明が解決しようとする課題】
【０００７】
本発明は、できるだけ簡単に着脱でき、かつブーツ全体で足をしっかりサポートすることのできる緊締具を備えたブーツを提供することを目的とする。
【課題を解決するための手段】
【０００８】
本発明は特許請求の範囲第１項に記載の特徴点を有するブーツを提供し、上記目的を達成する。本発明の様々な利点を有するブーツの具体的構成や実施形態は、従属項に記載の通りである。
【０００９】
すなわち、本発明のブーツは、一本のブーツ紐を有し、かつ、上側、中間、下側の３つの作用領域を有する緊締具を備えたことを最大の特徴点とする。中間作用領域が、ブーツを締めたり開いたりする際に、上側作用領域と下側作用領域の双方と機能的に直接連結している。従って既存のブーツとは異なり、本発明のブーツは２本の別々のブーツ紐ではなく１本のブーツ紐を備える。１本のブーツ紐と３つの領域によって、足の曲がる部分、すなわち中間作用領域において、ブーツを締めたときに充分な張力がかかり、曲がる部分も含めて足をブーツ内でしっかりとサポートすることができる。また、作用領域が機能的に連結されていることから、一本のブーツ紐の上側作用領域を緩めることで中間作用領域と、また、少なくともある程度は、下側作用領域をも緩めることができるので、緊締具の上側作用領域を緩めるだけでブーツを簡単に脱ぐことができる。さらに、中間作用領域が隣接する２つの領域と機能的に連結されていることから、張力均一化領域としても働くので、ブーツの緊締具を均一に締めることができる。その結果、ブーツの履き心地とサポート力をともに高めることができる。
【００１０】
本発明の特に好ましい実施形態では、上側と下側の作用領域のそれぞれに、ロック付き引き締め具が与えられている。両作用領域に割り当てられたこの引き締め具によって、前足部分と脚部分のそれぞれにおいて別々に張力を調整することができて好都合であり、中間作用領域が張力均一化領域として働くので、ブーツ全体で圧力を均一に分布させることができる。特に、この引き締め具によってブーツ内の圧力を徐々に高めることができ、従来のブーツのように面倒な緊締具を特に設ける必要もなく、まず前足部分を、次いで脚部分で紐を締めることができる。中間作用領域（張力均一化領域）によって、敏感な足の曲がる部分にも圧力が及ぶため、この部分にブーツが食い込むことがない。ブーツの脱着のし易さに関しては、このような実施形態によれば、上側作用領域が中間及び下側作用領域と機能的に連結しているため、上側作用領域用の引き締め具を緩めるだけで、緊締具全体を一つの握り部のみによって緩めることができる。つまり、緊締具の上側作用領域を緩めることで、連続して中間及び下側作用領域も緩めることができる。
また、引き締め具をロックすれば、上側及び下側作用領域の紐の締め具合を別個に設定することができる。
【００１１】
好ましくは、上側及び下側作用領域のそれぞれが複数のガイドフックを備え、引き締め具が２つのガイドフック、特に、隣接する２つのガイドフック間に位置しているとよい。このような引き締め具構成により、それぞれのガイドフックから緊締具の両方向に向けて引き締め具からの力が伝達されるので、力の伝達が特に効率的となる。この結果、緊締具を上側及び下側作用領域において比較的小さな力で締めることができる。
【００１２】
引き締め具が、ブーツ紐から延びる一部分であって、ブーツの開閉用に操作しやすい輪部の形で設けられていると特に好都合である。すなわち、ガイドフック領域に設けられたブーツ紐のこの輪部はガイドフックに接触することなく延ばされて、ブーツの開閉用に操作できるようになっている。緊締具を締めるために、輪部分はロック可能となっている（ロック付き引き締め具）。輪部分はガイドフックに掛けられることなく延ばされているので、輪のある領域ではガイドフックを設ける必要がない。この実施形態では、引き締め具が既にあるブーツ紐の一部から成るため、その構成が特に簡単である。さらにこの実施形態では、引き締め具からブーツ紐の残りの部分に力をかけるとき、延長輪部から直接、隣接するガイドフックに掛けられたブーツ紐のその他部分に力が伝わるため、特に効果的に行われる。
【００１３】
ブーツ紐の輪部分はブーツ内及び／又はブーツ上においてガイドを通して設けられ、その自由端を用いて引き締め具を操作することができる。すなわち、ブーツ紐の輪部分が、例えばスノーボードで走行中に枝などの物体に絡まったりすることがない。
【００１４】
ブーツ紐の輪部分の自由端は、この輪部分上を自由に移動可能な握り部に通されており、これによりブーツの脱着をさらに容易にすることができる。
【００１５】
引き締め具をロックするために、ブーツの特に脚部分に接着されている紐ロック部にブーツ紐の輪部分を通してもよい。
ブーツ紐の端部をブーツに接合すれば、特に簡単にこれらを定位置に固定させることができる。
【発明を実施するための最良の形態】
【００１６】
以下、本発明の具体的な実施形態につき、添付の図面を参照して詳細に述べる。図１は、本発明の一実施形態におけるブーツの緊締具構成を示す簡略図である。
【００１７】
図１に示す緊締具は例えば登山靴やスノーボード用ソフトブーツに適用可能であり、特にソフトブーツでの使用に適している。
明確にするために、緊締具のみを示しブーツ全体は図示していない。
【００１８】
ドイツ実用新案登録第２０,２００４,０１９,０８２Ｕ１号明細書の緊締具とは異なり、本発明のブーツの緊締具１０は一本の連続したブーツ紐１１を備える。緊締具１０はさらに３つの作用領域１２ａ、１２ｂ、１２ｃを備え、上側作用領域１２ａはブーツの脚部分に位置し、下側作用領域１２ｃは前足部分に位置している。中間作用領域１２ｂは上側及び下側作用領域１２ａ、１２ｃの中間に位置し、ブーツの曲がる部分で作用する。中間作用領域１２ｂは上側及び下側作用領域１２ａ、１２ｃと機能的に直接連結されており、張力均一化領域として働く。この結果、上側及び／又は下側作用領域１２ａ、１２ｃにかかる張力が少なくとも部分的に中間作用領域１２ｂにも伝達されるので、ブーツの曲がる部分にも張力が及ぶことになる。
【００１９】
さらに、図１の緊締具１０によれば、上側及び下側作用領域１２ａ、１２ｃにおける紐の締め具合を個別に調節することができる。ちなみに、中間作用領域１２ｂは張力均一化領域として働くが、その張力均一化作用はある程度までしか働かないので、上側及び下側作用領域１２ａ、１２ｃにおいて全く支障なく別個に紐の締め具合を設定することができる。個別に締め具合を調節できるように、上側及び下側作用領域１２ａ、１２ｃのそれぞれにロック付き引き締め具１３が与えられている。引き締め具１３を操作することで上側及び下側作用領域１２ａ、１２ｃをそれぞれ独立して締めることができ、引き締め具１３をロックすれば設定した紐の締め具合を固定することができる。
【００２０】
図示例では、引き締め具１３はブーツの開閉用に操作できる延長輪部の形で設けられている。このために、ブーツ紐の、ブーツ舌片（図示せず）の片側に設けられたガイドフック１５から出てくる部分は、既存のブーツのように舌片の反対側に設けられたガイドフックに通されていない。その代わり、ガイドフックは省略され、ブーツ紐の２部分が延びて輪部１４を形作っており、ブーツの使用者が操作できるようになっている。ブーツ紐の延長部分は、脚部分の上端付近に設けられた紐ロック部１９を通り、輪部１４の自由端１７は紐ロック部１９からさらに延びて、使用者が簡単に握ることができる。実用上、輪部１４の自由端１７は、少なくともブーツの脚部高さと同じ長さ分、紐ロック部１９からさらに延び出ている。
【００２１】
ブーツ紐の延び出た部分がもつれたり絡まったりしないように、これらはブーツ内及び／又はブーツ上に設けられたガイド１６内に通されている。ガイドはブーツ素材内に組み込まれるか、あるいは固着された２本の弾性筒状体から成る。２本の筒状体それぞれの舌片側端は、上側及び下側作用領域１２ａ、１２ｃにおけるガイドフック１５の中間、あるいはこれらと同じ高さに位置している。２つの筒状体の舌片側端は互いに離間し、ガイドフック１５からも離れた位置にあり、ブーツ紐がガイドフック１５から略水平方向に延びて筒状ガイド内に案内されている。筒状体の位置はこれに限らず、ブーツ紐が緊締具全体に渡って均一な角度で配置されるようにして、ブーツ紐が筒状体に角度をもって進入するような構成としてもよい。
【００２２】
紐ロック部１９の下方では紐の２部分がガイドから出てそのまま紐ロック部１９に進入しており、この結果、ブーツ上で紐が自由な部分はわずかしかないため、紐が引っ掛かることがない。
【００２３】
自由端１７は、輪部１４上を自由に動くことのできる握り部１８に通されており、握り部１８を介して輪部１４即ち緊締具１０を簡単に締めることができる。
【００２４】
上側及び下側作用領域１２ａ、１２ｃのブーツ紐輪部１４はそれぞれが相応に構成されており、上側作用領域１２ａにおける輪部１４の紐部分は下側作用領域１２ｃ用の輪部１４の紐部分より短く、２つの輪部１４の自由端１７がそれぞれ同じ高さに位置するようになっている。
【００２５】
尚、連続したブーツ紐１１の２つの終端はそれぞれが、ブーツの脚部分及び下方の前足部分に接着されている（不図示）。
【００２６】
図１に示すように上側及び下側作用領域１２ａ、１２ｃのそれぞれにガイドフック１５を２つ設ける代わりに、これ以外の数のガイドフックを設けることもできる。例えば、４つあるいは６つのガイドフックを設けてもよく、この場合、必ずしも隣接する２つのガイドフック間に延長輪部１４を設ける必要はない。その代わりに、追加のガイドフックを輪部１４の２本の紐の間に設けてもよい。
【００２７】
延長輪部１４の代わりに、例えば、上側及び下側作用領域１２ａ、１２ｃの自由輪部のそれぞれに固定された２本のテープにて引き締め具１３を構成してもよい。
【００２８】
ブーツを締めたり緩めたりする際は、図に示す緊締具を次のように操作する。上側作用領域１２ａ用の輪部１４を引っ張ると、この領域において緊締具が締まり、ブーツの脛部分における紐の締め具合を調節することができる。前足部分は、下側作用領域１２ｃ用の輪部１４を引っ張ることで締めることができる。中間作用領域１２ｂは上側及び下側作用領域１２ａ、１２ｃと機能的に直接連結されているため、上側及び下側作用領域１２ａ、１２ｃ間である程度まで張力が均一化されるが、それぞれの領域で個別に調節された締め具合は実質的にそのまま保たれる。中間作用領域１２ｂの張力均一化作用によってブーツの曲がる部分にもある程度の張力がかかり、敏感な足の曲がる部分にブーツが食い込むことなくこの部分でも足をしっかりとサポートすることができる。
【００２９】
全体として、ブーツ内でしっかりと揺るぎなく、かつ非常に心地よく足を支えることができる。
【００３０】
ブーツを脱ぐ際は、上側作用領域１２ａ用の紐ロック部１９を緩めるだけで足りる。これは、緊締具の上側作用領域１２ａを緩めることで中間及び下側作用領域も緩まるためである。従って従来必要であったように下側作用領域１２ｃ側の紐ロック部１９を緩める動作は必ずしも必要ではない。
【００３１】
従って本発明の緊締具によれば、ブーツを部分選択的に閉じることができるだけでなく、機能的に直接連結された作用領域１２ａ、１２ｂ、１２ｃによって、素早く簡単にブーツを脱着することができる。
【００３２】
さらに、本発明の緊締具は、ドイツ実用新案第２０  ２００４  ０１９０８２  Ｕ１号明細書の緊締具より少ない数のガイドフックで実現することができる。これは、舌片の片側に設けられたガイドフックの代わりに延長輪部１４が設けられ、いわばガイドフックの役目を果たしているためである。この結果、ブーツ紐を締めたり緩めたりする時の摩擦も減るため操作性も向上する。
【図面の簡単な説明】
【００３３】
【図１】本発明の一実施形態におけるブーツの緊締具構成を示す簡略図である。
【符号の説明】
【００３４】
１０  緊締具
１１  ブーツ紐
１２ａ  上側作用領域
１２ｂ  中間作用領域
１２ｃ  下側作用領域
１３  引き締め具
１４  輪部
１５  ガイドフック
１６  ガイド
１７  自由端
１８  可動握り部
１９  紐ロック部
【手続補正書】
【提出日】平成19年2月2日(2007.2.2)
【手続補正１】
【補正対象書類名】図面
【補正対象項目名】全図
【補正方法】追加
【補正の内容】
【図１】
2007144171.tif 000003
【外国語明細書】
2007144171000001.pdf
2007144171000002.pdf
2007144171000003.pdf
2007144171000004.pdf